(57)【要約】【課題】建設機械に、点検、整備、修理等のメンテナンス作業を行うための足場を設けるにあたり、不要時に足場が邪魔にならないようにして、輸送時等に足場を着脱する手間をなくす。【解決手段】ステップ２０を、機体の左右幅から外方に突出する作業姿勢と、機体の左右幅内に納まる収納姿勢とに変姿揺動自在に設けると共に、ステップ２０を各姿勢に固定するためのステー２２を設け、さらに、前記作業姿勢は、ステップ２０の揺動角度を異ならしめることで複数設定した。【選択図】        図４
2004344815.tif 000002
【特許請求の範囲】
【請求項１】
建設機械に、点検、整備、修理等の作業を行うための足場を設けるにあたり、該足場を、機体の左右幅から外方に突出する作業姿勢と、機体の左右幅内に略納まる収納姿勢とに変姿揺動自在に設けたことを特徴とする建設機械。
【請求項２】
請求項１において、足場を、作業姿勢、収納姿勢の各姿勢に固定する固定手段を設けたことを特徴とする建設機械。
【請求項３】
請求項２において、固定手段は、基端部が機体側に揺動自在に支持され、先端部が各姿勢の足場に係脱自在に係止するステーを用いて構成されることを特徴とする建設機械。
【請求項４】
請求項１乃至３の何れかにおいて、作業姿勢は、足場の揺動角度を異ならしめることにより複数設定されることを特徴とする建設機械。
【発明の詳細な説明】
【０００１】
【発明の属する技術分野】
本発明は、自走式破砕機やアスファルトフィニッシャ等の建設機械の技術分野に属するものである。
【０００２】
【従来の技術】
一般に、自走式破砕機やアスファルトフィニッシャ、あるいは油圧ショベル等の建設機械においては、該建設機械に搭載される各種機器装置の点検、整備、修理、部品交換、清掃等のメンテナンス作業を定期的、あるいは不定期に行う必要があるが、このような作業を行うにあたり、特に建設機械が大型であるとオペレータが地上からアクセスできない場合もあり、そこで、メンテナンス作業を行うための足場（キャットウォーク、ステップ等）が設けられる。
この様な足場として、従来、機体フレームの左右側面部に、機体の左右幅から外方に突出する状態でキャットウォークを設けたものが知られている（例えば、特許文献１参照。）。
【０００３】
【特許文献１】
特開２０００−１６０５９９号公報（図５）
【０００４】
【発明が解決しようとする課題】
ところで、建設機械は、通常、作業を行う現場までトラック等の輸送車両に搭載して輸送されるが、前記従来のもののように足場が機体の左右幅から突出する状態で設けられていると輸送の邪魔になることがあり、この様な場合には足場を取外して輸送することになる。そして、作業現場で足場を取付けることになるが、この取外し、取付け作業が面倒であって手間がかかる。また、足場が長いとメンテナンス作業を行える範囲が広くなるが、長尺の足場は重量も重く、前記取外し、取付作業が重労働になるという問題があり、これらに本発明が解決しようとする課題があった。
【０００５】
【課題を解決するための手段】
本発明は、上記の如き実情に鑑み、これらの課題を解決することを目的として創作されたものであって、建設機械に、点検、整備、修理等の作業を行うための足場を設けるにあたり、該足場を、機体の左右幅から外方に突出する作業姿勢と、機体の左右幅内に略納まる収納姿勢とに変姿揺動自在に設けたことを特徴とするものである。
そして、この様にすることにより、不要時の足場を収納姿勢にしておくことによって該ステップが輸送時や走行時に邪魔になってしまうことがなく、足場を着脱するような面倒な作業も必要なくなって、実用性に優れる。
このものにおいて、足場を、作業姿勢、収納姿勢の各姿勢に固定する固定手段を設けることにより、意図せずに足場が揺動変姿してしまうことを回避できる。
前記固定手段は、基端部が機体側に揺動自在に支持され、先端部が各姿勢の足場に係脱自在に係止するステーを用いて構成することができる。
また、作業姿勢は、足場の揺動角度を異ならしめることにより複数設定することができ、この様にすることにより、足場を大型にしなくても広範囲のメンテナンス作業域をカバーできる。
【０００６】
【発明の実施の形態】
次に、本発明の実施の形態を図面に基づいて説明する。図面において、１は自走式破砕機であって、該自走式破砕機１は、クローラ式の走行体２に取付け支持される基台フレーム３の前後方向略中央部に、ジョークラッシャ等からなる破砕装置４が載置されている。該破砕装置４の後側上方には、コンクリート塊等の被破砕物が投入されるホッパ５が配され、該ホッパ５の下方には、ホッパ５に投入された被破砕物を破砕装置４の入口部４ａに導入するための振動フィーダ６が配されている。該振動フィーダ６は、所謂グリズリフィーダと称されるものであって、底面部の前半側に鋸歯状プレート６ａを有し、ホッパ５に投入された被破砕物を破砕装置４側に順次搬送すると共に、破砕不要の小さなコンクリート塊や土砂等を、鋸歯状プレート６ａの間隙から下方に落下させる。そして、該落下物は、振動フィーダ６の前半側の下方から機体左右方に突出する状態で配されるサイドコンベア８によって、自走式破砕機１の左右外方に搬出されるように構成されている。
【０００７】
一方、破砕装置４の前方には、燃料タンク９、作動油タンク１０、操縦部１１等が配され、さらにその前方には動力室１２が配されているが、該動力室１２には、図示しないエンジン、フィルター等のエンジン関連機器、油圧ポンプ、ラジエータ、オイルクーラー等の各種機器装置が収納されている。そして、この動力室１２の上面部および左右側面部は開閉自在なエンジンカバー１２ａおよび側面カバー１２ｂにより覆蓋されており、これらエンジンカバー１２ａ、側面カバー１２ｂを開放することで、動力室１２内に収納される機器装置の点検、修理、部品交換、清掃等のメンテナンス作業を行えるようになっている。また、破砕装置４により破砕された処理物を機外に排出するための搬出コンベア１３が、破砕装置４の下方から動力室１２の下方に至り、さらに機体前上方に向けて突出する状態で配されている。
尚、図中、１４は搬出コンベア１３の中途部上方に配される磁選機であって、該磁選機１４は、コンクリート塊に含まれる鉄筋等の金属材を磁石で磁着して機外に放出するように構成されている。
【０００８】
さらに、１５は前記走行体２を構成する左右のトラックフレームであって、該左右のトラックフレーム１５は基台フレーム３に一体的に取付け支持されているが、このトラックフレーム１５の前後端部には駆動スプロケット１６およびアイドラ１７が軸承されており、これら駆動スプロケット１６とアイドラ１７とのあいだにはクローラ１８が懸回されている。
【０００９】
一方、１９は後述する左右のステップ２０を揺動自在に軸支するための支持ブラケットであって、該支持ブラケット１９は、前記動力室１２の左右側部の下方で、且つクローラ１８の前端部の上方に位置するように、基台フレーム３の左右外側面の前端部に固着されている。この支持ブラケット１９は、平面視において略三角形状をした上下のプレート１９ａを備えており、該上下のプレート１９ａの先端部間には、ピン軸２１を介してステップ２０の基端側が揺動自在に軸支されている。
【００１０】
前記ステップ２０は、本発明の足場に相当するものであって、オペレータが両足を載せることができるように水平方向を向いたステップ面２０ａを有している。また、ステップ２０の先端部には、下方に垂下する略凵形状の足掛け部２０ｂが形成されており、該足掛け部２０ｂに足を掛けることで地上からステップ面２０ａに容易にアクセスできるようになっている。
【００１１】
そしてステップ２０は、前記ピン軸２１を支軸として揺動せしめることにより、平面視において、ステップ面２０ａが動力室１２の左右側縁から左右外方に向けて略直角状に突出する第一作業姿勢（図１〜図４において実線で示すと共に、図５、図７（Ｂ）に示す）と、ステップ面２０ａが動力室１２の左右側縁から後左右外方に向けて傾斜状に突出する第二作業姿勢（図４において二点鎖線で示すと共に、図７（Ｃ）に示す）と、ステップ２０全体が動力室１２の下方に収納されて外方に突出しない収納姿勢（図１、図３、図４において一点鎖線で示すと共に、図７（Ａ）に示す）とに揺動変姿できるように構成されている。
【００１２】
さらにステップ２０には、該ステップ２０が第一作業姿勢、第二作業姿勢のときに後述するステー２２が係脱自在に係止する第一作業姿勢用係止孔２０ｃ、第二作業姿勢用係止孔２０ｄが穿設されている。また、ステップ２０の基端側には係止片２０ｅが突出形成されており、該係止片２０ｅの先端部には、ステップ２０が収納姿勢のときにステー２２が係脱自在に係止する収納姿勢用係止孔２０ｆが穿設されている。
【００１３】
前記ステー２２は、両端側が鉤状に折曲された棒状のものであって、該ステー２２の基端側は、基台フレーム３の左右外側面に固着された支持片２３に穿設された取付け孔２３ａに、抜け止めされた状態で上下動自在および軸回り方向回動自在に挿通されている。また、ステー２２の先端側は、前述したステップ２０の係止孔２０ｃ、２０ｄ、２０ｆに抜き差し自在に挿通できるようになっている。而してステー２２は、上下動させることで係止孔２０ｃ、２０ｄ、２０ｆに係脱自在に係止される構成となっており、そして、ステップ２０を第一作業姿勢、第二作業姿勢、収納姿勢の各姿勢にした状態で、ステー２２の先端側をステップ２０の第一作業姿勢用係止孔２０ｃ、第二作業姿勢用係止孔２０ｄ、収納姿勢用係止孔２０ｆの各係止孔にそれぞれ係止せしめることにより、ステップ２０を上記各姿勢に固定できるようになっている。
尚、図中、２４は動力室１２の左右側面部の下端から垂下する状態で設けられる把手であって、該把手２４は、ステップ２０に載るときにオペレータが把持できるように構成されている。
【００１４】
叙述の如く構成されたものにおいて、自走式破砕機１の基台フレーム３の左右外側面には、動力室１２の左右側部の下方で、且つクローラ１８の前端部の上方に位置する部位に、オペレータが載ることができるステップ２０が取り付けられているが、該ステップ２０は、ステップ面２０ａが動力室１２の左右側縁から左右外方に向けて略直角状に突出する第一作業姿勢と、ステップ面２０ａが動力室１２の左右側縁から後左右外方に向けて傾斜状に突出する第二作業姿勢と、ステップ２０全体が動力室１２の下方に収納されて機体外方に突出しない収納姿勢とに揺動変姿自在に設けられている。そして、前記各姿勢のステップ２０は、ステー２２を係止孔２０ｃ、２０ｄ、２０ｆに係止せしめることにより、各姿勢に固定されることになる。
【００１５】
而して、動力室１２に収納される機器装置のうち、動力室１２の左右側部に配される機器装置の点検、修理、部品交換、清掃等のメンテナンス作業を行う場合には、動力室１２の左右側部を覆蓋する側面カバー１２ａを開放して行うことになるが、この場合に、前記ステップ２０を第一作業姿勢または第二作業姿勢にしてその上に載ることにより、動力室１２の左右側部に配される機器装置のメンテナンス作業を容易に行うことができる。このとき、動力室１２の前方側に配される機器装置のメンテナンス作業を行う場合には第一作業姿勢とし、後方側に配される機器装置のメンテナンス作業を行う場合には第二作業姿勢とする、即ちステップ２０の揺動角度を異ならしめることにより、オペレータが両足を載せることができる程度の大きさのステップ２０であっても広範囲のメンテナンス作業域をカバーできることになり、ステップ２０の大型化を回避できる。
尚、本実施の形態では、ステップ２０の作業姿勢の固定位置を第一、第二の二箇所としたが、これに限定されることはなく、メンテナンスを行う作業範囲に対応して、適宜数適宜位置に設定することができる。また、本実施の形態では、左右のステップ２０を構成する部材の共通化を図るため、第一作業姿勢用係止孔２０ｃについては左右対称位置に二箇所穿設されており、何れか一方の第一作業姿勢用係止孔２０ｃを利用するように設定されている。
【００１６】
一方、ステップ２０が不要のときには該ステップ２０を収納姿勢にしておくことにより、ステップ２０は動力室１２の下方に収納された状態となって機体外方に突出することがない。この結果、ステップ２０が自走式破砕機１の輸送時や走行時に邪魔になってしまうことがなく、従来のようにキャットウォーク等の足場を着脱するような面倒な作業も必要なくなって、実用性に優れる。
【図面の簡単な説明】
【図１】自走式破砕機の側面図である。
【図２】自走式破砕機の平面図である。
【図３】自走式破砕機の正面図である。
【図４】ステップの取付け状態を示す平面図である。
【図５】ステップの取付け状態を示す正面図である。
【図６】図５のＸ部の拡大図である。
【図７】（Ａ）、（Ｂ）、（Ｃ）はステップの収納姿勢、第一作業姿勢、第二作業姿勢を示す図である。
【符号の説明】
１    自走式破砕機
２０    ステップ
２１    ピン軸
２２    ステー
【図１】
2004344815.tif 000003
【図２】
2004344815.tif 000004
【図３】
2004344815.tif 000005
【図４】
2004344815.tif 000006
【図５】
2004344815.tif 000007
【図６】
2004344815.tif 000008
【図７】
2004344815.tif 000009